(57)【特許請求の範囲】
【請求項１】
キーで回転操作される内筒とこの内筒が回転自在に嵌まる外筒とを有しており、
前記内筒の前端には、前記外筒の前端部よりも手前において半径方向外側に突出したフランジ部が形成されており、このフランジ部のうち周方向の一部に、前記外筒の前面に向いて開口した覗き部を設けている一方、
前記外筒の前端部には、施錠表示部と解錠表示部とが、施錠状態では施錠表示部が前記内筒の覗き部から視認されて解錠状態では解錠表示部が前記内筒の覗き部から視認されるように周方向に位置を変えて配置されている、
という構成であって、
前記外筒に、前記内筒におけるフランジ部の後面に当接可能なストッパーが、その前面を前記施錠表示部及び解錠表示部よりも手前に位置させた状態で脱落不能に設けられている、
錠装置。
【請求項２】
前記施錠表示部と解錠表示部とは、円弧状の形態であって互いに色が相違していると共に一体に繋がっている一方、前記ストッパーは、金属製であって前記両表示部の外側に位置した円筒状部を有しており、前記ストッパーと両表示部とは、前記外筒の前面に形成した環状凹所に嵌め込まれており、かつ、前記ストッパーで両表示部を押さえ保持している、
請求項１に記載した錠装置。
【請求項３】
前記両表示部とストッパーとは互いに分離した部材として構成されており、前記両表示部には、前記外筒で押さえ保持される外向き張り出し部と、前記外向き張り出し部よりも更に半径方向外側に突出した位置決め突起とが形成されている一方、
前記外筒に、前記両表示部の位置決め突起が嵌まる位置決め凹所が前記環状凹所に連通した状態で形成されており、
更に、前記ストッパーには、前記両表示部の張り出し部よりも半径方向外側に突出して支持片が複数個形成されており、前記支持片を前記外筒にかしめ固定している、
請求項２に記載した錠装置。
【請求項４】
前記内筒は前記外筒から抜き外すことができ、異なる内筒を１つの外筒に交換可能である、
請求項１〜３のうちのいずれにかに記載した錠装置。
【発明の詳細な説明】
【技術分野】
【０００１】
本願発明は、施錠状態と解錠状態との違いを目視で確認できる錠装置（シリンダ錠）に関するものである。
【背景技術】
【０００２】
シリンダ錠は、鍵穴が空いた内筒（シリンダ）を中空の外筒に回転自在に嵌め込んだ構造になっており、内筒を１８０度正逆回転させることで、施錠状態と解錠状態とに切り換わるようになっているが、施錠状態と解錠状態とで鍵穴の姿勢は同じであるため、解錠状態か施錠状態かを目視で確認し難く、このため、解錠忘れや施錠忘れを招来することがあった。
【０００３】
そこで、施錠状態と解錠状態とを色の違いで視認できるようにした表示手段が提案されている。その一例として特許文献１には、内筒の前面のうち鍵穴の周囲の部分を覆うキャップを外筒に固定し、このキャップの一部を切り欠く一方、内筒の前面にはキャップの切欠きから視認できる表示板を固定し、表示板のうち施錠状態でキャップの切欠きから見える部分と解錠状態で見える部分との色を異ならせることが開示されている。
【０００４】
他方、特許文献２には、内筒の前端にフランジを設けて、このフランジに覗き窓を設ける一方、外筒の前面に、覗き窓から視認できる表示部を設けて、施錠状態で見える表示部の色と解錠状態で見える表示部の色とを異ならせることが開示されている。特許文献３はコインで解施錠できる簡易な錠を対象にしているが、この特許文献３にも、内筒のフランジ部に形成した切欠きを介して表示部を視認する構成が開示されている。
【先行技術文献】
【特許文献】
【０００５】
【特許文献１】特許第３２３５４１５号公報
【特許文献２】実開昭５４−７０７９６号のマイクロフィルム
【特許文献３】実開昭５７−１６７１６６号のマイクロフィルム
【発明の概要】
【発明が解決しようとする課題】
【０００６】
さて、内筒を交換できるシリンダ錠があり、この内筒交換式シリンダ錠は、例えば使用者が変わっても内筒とキーとを交換することで外筒はそのまま使用できるため経済的である。そして、特許文献１のように内筒の前面をキャップで覆った構成では、このような内筒交換式の錠装置には適用できないという問題がある。また、キャップの内面と表示部とが接触し得るため、繰り返し使用しているうちに表示部がキャップで擦られて、その痕跡が残るおそれもあった。
【０００７】
他方、特許文献２のように内筒のフランジに覗き窓を設けたタイプは、表示部が外筒の前面に設けられているため、内筒交換式の錠装置にも簡単に適用できる。しかし、特許文献２の場合も、内筒のフランジ部と外筒の表示部とが当接し得るため、特許文献１と同様に、繰り返し使用しているうちに表示部が擦られてその痕跡が残るおそれがあった。
【０００８】
本願発明は、このような現状を改善すべく成されたものである。
【課題を解決するための手段】
【０００９】
本願発明の錠装置は、キーで回転操作される内筒とこの内筒が回転自在に嵌まる外筒とを有している。前記内筒の前端には、前記外筒の前端部よりも手前において半径方向外側に突出したフランジ部が形成されており、このフランジ部のうち周方向の一部に、前記外筒の前面に向いて開口した覗き部を設けている一方、前記外筒の前端部には、施錠表示部と解錠表示部とが、施錠状態では施錠表示部が前記内筒の覗き部から視認されて解錠状態では解錠表示部が前記内筒の覗き部から視認されるように周方向に位置を変えて配置されている。そして、前記外筒に、前記内筒におけるフランジ部の後面に当接可能なストッパーが、その前面を前記施錠表示部及び解錠表示部よりも手前に位置させた状態で脱落不能に設けられている。
【００１０】
請求項２の発明は、請求項１において、前記施錠表示部と解錠表示部とは、円弧状の形態であって互いに色が相違していると共に一体に繋がっている一方、前記ストッパーは、金属製であって前記両表示部の外側に位置した円筒状部を有しており、前記ストッパーと両表示部とは、前記外筒の前面に形成した環状凹所に嵌め込まれており、かつ、前記ストッパーで両表示部を押さえ保持している。
【００１１】
請求項３の発明は、請求項２において、前記両表示部とストッパーとは互いに分離した部材として構成されており、前記両表示部には、前記外筒で押さえ保持される外向き張り出し部と、前記外向き張り出し部よりも更に半径方向外側に突出した位置決め突起とが形成されている一方、前記外筒に、前記両表示部の位置決め突起が嵌まる位置決め凹所が前記環状凹所に連通した状態で形成されており、更に、前記ストッパーには、前記両表示部の張り出し部よりも半径方向外側に突出して支持片が複数個形成されており、前記支持片を前記外筒にかしめ固定している。
【００１２】
本願発明は、請求項４に記載したように、  前記内筒は前記外筒から抜き外すことができ、異なる内筒を１つの外筒に交換できる錠装置も含んでいる。
【発明の効果】
【００１３】
本願発明によると、内筒の前端に設けたフランジ部に覗き部を形成しているため、請求項４のように内筒を交換できるタイプの錠装置にも支障なく適用できる。また、内筒のフランジ部はストッパーには当接しても表示部には接触しないため、内筒のフランジ部によよって表示部が擦れて美観が損なわれることも確実に防止できる。
【００１４】
表示部はストッパーに一体化することも可能であるが、請求項２のように両者を分離した部材で構成してストッパーで表示部を押さえ保持すると、それぞれ加工を簡単に行える利点がある。
【００１５】
また、請求項２のように表示部とストッパーとを分離構成した場合において請求項３の構成を採用すると、表示部は位置決め突起が外筒の位置決め凹所に嵌まることで所定姿勢に保持されるため、取り付け作業の手間を抑制できる利点がある。また、ストッパーを外筒にかしめ固定して、このストッパーで表示部を押さえ保持しているため、ストッパー及び表示部とを外筒にしっかりと保持できる。
【図面の簡単な説明】
【００１６】
【図１】錠装置及びキーの分離斜視図である。
【図２】（Ａ）は錠装置の正面図、（Ｂ）は斜視図である。
【図３】（Ａ）は図２（Ａ）のＡ−Ａ視断面図、（Ｂ）は図２（Ａ）のＢ−Ｂ視断面図、（Ｃ）は図２（Ａ）のＣ−Ｃ視断面図である。
【発明を実施するための形態】
【００１７】
(1).錠装置の基本構成
次に、本願発明の実施形態を図面に基づいて説明する。まず、錠装置の基本構成を説明する。
【００１８】
図１に示すように、錠装置は、キー１が嵌まる鍵穴２を有する内筒（シリンダ）３、内筒３が回転自在に嵌まる外筒（錠本体、本体ケース）４、内筒３の後端に相対回転不能に嵌合したロータ５、外筒４の後端にスライド自在に配置した帯板状のデッドボルト６、デッドボルト６を後ろから覆う蓋板７、を備えている。内筒３の前端には、外側に突出したフランジ３ａを設けている。他方、内筒３の後端はロータ５に対して抜き差し自在であり、かつ、内筒３とロータ５とは一緒に回転する。なお、外筒４は、アルミ等の金属を材料にしたダイキャスト品である。
【００１９】
外筒４は概ね小判形に近い形状であり、後端面の４つのコーナー部にリア突起８を突設し、リア突起で囲われた空間にデッドボルト６をスライド自在に配置している。デッドボルト６は蓋板７で離脱不能に保持されており、蓋板７はリア突起８にかしめ固定されている。なお、デッドボルト６は、縦向き姿勢と横向き姿勢とに姿勢を変更可能である。
【００２０】
ロータ５の後面には、その回転軸心から偏心した状態で駆動ピン９が突設されている一方、デッドボルト６には、駆動ピン９が嵌まる長溝１０を切り開き形成している。キー１によって内筒３を１８０度正逆回転させると、駆動ピン９によってデッドボルト６がその長手方向にスライドし、施錠状態と解錠状態とに切り換わる。
【００２１】
内筒３には、軸方向に並んだ多数枚のロックピン１１が半径方向にスライド自在に装着されており、各ロックピン１１は、ばね（図示せず）で内筒３の外側に突出するように付勢されている一方、外筒４の内周面には、２条の縦溝１２が相対向して形成されている。各ロックピン１１が内筒３の外周面から突出して一方の縦溝１２に嵌まることで施錠状態が保持され、正規のキー１を内筒３に挿入すると各ロックピン１１は後退して解錠され、内筒３を回転させることができる。
【００２２】
本実施形態は内筒３を交換できるタイプであり、内筒３の後端寄り部位には、一対の抜け止めピン１３が半径方向にスライド自在に装着されている。抜け止めピン１３は、ロックピン１１よりも大きい寸法で内筒３の外周外側に突出しており、また、抜け止めピン１３は、外筒４の内周に形成した抜け止め環状溝（図示せず）にスライド自在に嵌まっている。従って、通常の使用状態では、内筒３はキー１で自在に回転させることができる。そして、所定の交換用キー（図示せず）を内筒３に挿入すると、抜け止めピン１３は軸心側に後退して抜け止め環状溝との係合が解除され、これによって内筒３を交換できる。
【００２３】
(2).表示手段
次に、施錠状態と解錠状態とを目視で確認し得る表示手段を説明する。まず、内筒３のフランジ部には、表示手段を構成する覗き部として、円弧状の切欠き１４が、おおよそ９０度程度の範囲に広がるように形成されている。他方、外筒４の前面には、中空部に連通した段違い状の環状凹所（段落ち部）１５が形成されており、この環状凹所１５に、表示部の一例としての表示リング１６と、表示リング１６を外側から囲うストッパーリング１７とが嵌め込まれている。ストッパーリング１７は、ステンレス板のような金属板から成っている。
【００２４】
表示リング１６は円の一部を切除したＣ字状の形態であり、切除部１８が一方の縦溝１２の箇所に位置するように設定している。従って、内筒３の交換に際して、ロックピン９及び抜け止めピン１３が表示リング１６に当たることはない。すなわち、内筒３の交換は阻害されない。
【００２５】
本実施形態の表示リング１６は樹脂製であり、半円よりも小さい円弧の２つの表示体１６ａ，１６ｂを接合することで形成されており、２つの表示体１６ａ，１６ｂの色を異ならせる（例えば赤とブルーとに異ならせる）ことにより、一方を施錠表示部で他方を解錠表示部と成している。図１では、色の違いは平行斜線の向きの違いで表示している。そして、表示リング１６は断面角形になっており、２つの表示体１６ａ，１６ｂの接合部に、互いに嵌まり合う凹凸（図示せず）を形成し、強制嵌合によって一体化している。
【００２６】
もとより、全体を一体に成形して塗装によって色を異ならせたり、全体を一体成形してテープ片を貼り付けて色を異ならせるなどしてもよい。また、色が異なる２種類の樹脂を原料として、二色成形法によって一体成形することも可能である。
【００２７】
表示リング１６の後端には半径方向外側に突出した薄い外向き張り出し部１９を一体に形成している。２つの外向き張り出し部１９は、切除部１８と反対側の部位において縦溝１２と同じ溝幅で分断している。従って、表示リング１６を構成する表示体１６ａ，１６ｂは、それぞれ外向き張り出し部１９を有している。そして、両外向き張り出し部１８に細幅の位置決め突起２１を半径方向外側に突設し、この位置決め突起２１を、外筒４に形成した位置決め凹所２２に嵌め入れている。
【００２８】
敢えて述べるまでもないが、位置決め凹所２２は環状凹所１５に連通している。また、位置決め突起２１及び位置決め凹所２２は、２つの縦溝１２を結ぶ中心線と直交した中心線の箇所に位置している。従って、外筒４には、円周方向に９０度ずつの間隔で縦溝１２と位置決め凹所２２とが交互に形成されている。
【００２９】
ストッパーリング１７は切れ目なく続く円筒状部２３を有しており、円筒状部２３の後端面に、周方向に９０度ずつの間隔で４つの支持片２４を半径方向外向きに突設している。支持片２４は舌状の形態を成しており、円筒状部２３の後面よりも後ろ側に突出している。従って、支持片２４は、円筒状部２３から後ろ向きに突出した足片２５に折り曲げ形成された状態になっており、表示リング１６は４つの支持片２４で押さえられている。
【００３０】
もとより、足片２５を設けずに、円筒状部２３の後面を表示リング１６の全体に当接させてもよい。また、位置決め突起２１の厚さを外向き張り出し部１９よりも厚い寸法として、位置決め突起２１をストッパーリング１７の円筒状部２３で押さえることも可能である。
【００３１】
外筒４の前面には、縦溝１２及び位置決め凹所２２から周方向に４５度ずつずれた状態で保持溝２６が形成されており、ストッパーリング１７の支持片２４が保持溝２６に嵌合している。図３（Ｃ）に示すように、支持片２４は、外筒４の前面に形成した突部２７を保持溝２６に向けて倒すように潰すことで、保持溝２６にかしめ固定されている。かしめ付けの部分を符号２８で示している。。
【００３２】
図３（Ａ）（Ｂ）に示すように、ストッパーリング１７の前面は表示リング１６の前面よりも手前に位置している。また、ストッパーリング１７の円筒状部２３は、内筒３のフランジ部３ａと正面視で重なるように配置されている。
【００３３】
(3).まとめ・その他
ストッパーリング１７の前面は表示リング１６の前面よりも手前に位置しているため、内筒３におけるフランジ部３ａの後面がストッパーリング１７の前面に接触することはあっても、フランジ部３ａの後面が表示リング１６の前面に接触することはない。従って、表示リング１６の前面が擦れて美観を損なうことは皆無である。
【００３４】
本実施形態のように、ストッパーリング１７を外筒４にかしめ固定すると、ストッパーリング１７及び表示リング１６をガタ付きのない状態に保持できて好適である。また、ストッパーリングの円筒状部２３を表示リング１６の内側に配置することも可能であるが、この場合は、内筒３の挿脱に際して抜け止めピン１３が当たらないように逃がし手段を講じる必要がある。これに対して本実施形態のように円筒状部２３を表示リング１６の外側に配置すると、特段の逃がし手段を講じることなく、内筒３を外筒４に挿脱できる利点がある。
【００３５】
ストッパーリング１７の取り付け手段としては、図１に一点鎖線で示すように、ストッパーリング１７に後ろ向きの係合爪２９を設け、係合爪２９を外筒４のフロントフランジ４ａ（又は係合溝）に引っ掛けることも可能である（フロントフランジ４ａには、係合爪２９が嵌まる溝を形成するのが好ましい。）。
【００３６】
本願発明は、上記の実施形態の他にも様々に具体化できる。例えば、表示部やストッパーの形態は必要に応じて様々に具体化できる。例えば、表示部の形態として、外筒の前面に塗料で円弧状の表示を施したり、外筒の前面に円弧状のテープ片を貼り付けたりすることも可能である。筒状のストッパーを外筒に一体成形することも可能である。
【００３７】
覗き部は必ずしも半径方向外向きに開口した切欠きとする必要はなく、例えば円弧状のスリットや丸穴等に形成することも可能である。また、表示部としては、色による違いに代えて又はこれに加えて、「ロック」「解除」のような文字を表示することや、模様の違いとして表示することも可能である。
【産業上の利用可能性】
【００３８】
本願発明は、シリンダ錠に適用して有用性を発揮する。従って、産業上利用できる。
【符号の説明】
【００３９】
１  キー（鍵）                                                                  ２  鍵穴
３  内筒（シリンダ）
３ａ  フランジ部
４  外筒
６  デッドボルト
１１  ロックピン
１２  縦溝
１３  抜け止めピン
１４  覗き部としての円弧状の切欠き
１５  環状凹所
１６  表示部を構成する樹脂製表示リング
１６ａ，１６ｂ  表示部を構成する表示体
１７  ストッパーの一例としてストッパーリング
１９  外向き張り出し部
２１  位置決め突起
２２  位置決め凹所
２３  ストッパーリングの円筒状部
２４  支持片
【図１】
0005649427.tif 000002
【図２】
0005649427.tif 000003
【図３】
0005649427.tif 000004